(57)【要約】【課題】システムの応答性を向上できる照明制御システムを提供すること。【解決手段】実施形態の照明制御システム１において、中央制御装置２は、複数の制御端末器Ｓと伝送ライン３を介して通信を行うことにより複数の制御端末器Ｓを制御するもので、少なくとも制御端末器Ｓのアドレス及び制御データを有する制御データ部３０ｅを含む制御送信部３１とこの制御送信部３１に続く監視応答用の監視応答部３３とを有する伝送フレーム３０を、伝送ライン３を介して複数の制御端末器Ｓに伝送する。複数の制御端末器Ｓの内、伝送フレーム３０のアドレスに該当する制御端末器Ｓは、伝送フレーム３０中の監視応答部３３に照明器具の制御状態を示す応答信号を付加して中央処理装置２に伝送する。【選択図】図２
2012009265.tif 000002
【特許請求の範囲】
【請求項１】
伝送ラインに接続され、この伝送ラインを介して伝送された制御データに基づき照明器具を制御する複数の端末器と；
前記複数の端末器と前記伝送ラインを介して通信を行うことにより前記複数の端末器を制御するものであって、少なくとも端末器のアドレス及び前記制御データを有する制御データ部を含む制御送信部と、この制御送信部に続く監視応答用の監視応答部とを有する伝送フレームを、前記伝送ラインを介して前記複数の端末器に伝送する中央制御装置と；
を具備し、
前記複数の端末器の内、前記伝送フレームのアドレスに該当する端末器は、前記伝送フレーム中の前記監視応答部に前記照明器具の制御状態を示す応答信号を付加して前記中央処理装置に伝送するように制御することを特徴とする照明制御システム。
【請求項２】
前記伝送フレームの前記制御送信部と前記監視応答部との間には、予め設定された所定期間が設けられていることを特徴とする請求項１に記載の照明制御システム。
【請求項３】
前記端末器は、前記照明器具に対する前記制御データに基づく制御出力が未確定の場合には、未確定を示すデータを前記監視応答部の中に付加して伝送することを特徴とする請求項１又は請求項２に記載の照明制御システム。
【請求項４】
前記中央処理装置は、前記端末器から伝送された前記伝送フレームの前記監視応答部の中に前記未確定を示すデータを受信した場合には、前記伝送フレームと同様の未使用の監視用フレームを生成し、この監視用フレームの監視応答部に再度応答信号を付加して該当する端末器に伝送することを特徴とする請求項３に記載の照明制御システム。
【発明の詳細な説明】
【技術分野】
【０００１】
本発明の実施形態は、例えば、建物内の天井面に配設された複数の照明器具を遠隔制御する照明制御システムに関する。
【背景技術】
【０００２】
従来、例えば、オフィスビルや各種施設などでは、各フロアや各エリアなどの照明エリア毎に設置される照明器具などの照明負荷を遠隔制御する照明制御システムが採用されている。
【０００３】
この照明制御システムでは、照明制御装置である中央処理装置に伝送ラインを介して複数の照明用機器が通信可能に接続されており、各照明用機器は、中央処理装置からの信号によって制御される。また、中央処理装置と複数の照明用機器とが伝送ラインを介して通信することにより、中央処理装置は、照明用機器を統合的に管理することができるようになっている。
【０００４】
従来の照明制御システムにおける中央処理装置は、複数の照明用機器との間で通信を行う場合、予め設定された所定時間毎に、所定の伝送フレームで信号を伝送している。
【０００５】
この伝送フレームは、例えば、信号の種類を示すモードデータ、アドレスデータ、送信データが正しく送られたか否かをチェックするためのチェックサムデータ、照明器具の制御データ、及びＡＣＫの応答信号等を含むフォーマット構成を有している。
【０００６】
また、モードには、照明器具を制御する制御モードと、照明器具が正常に動作しているか否かを監視する監視モードとがある。
【先行技術文献】
【特許文献】
【０００７】
【特許文献１】特開２００９−１５８２８０号公報
【発明の概要】
【発明が解決しようとする課題】
【０００８】
しかしながら、従来の照明制御システムは、制御モードと監視モードとのどちらのモードの場合でも、必要なデータを同じフォーマットの伝送フレームでそれぞれ伝送している。すなわち、制御モードの場合には、必要な制御データ等の他、ＡＣＫの応答信号がない状態で伝送フレームを伝送し、監視モードの場合には、必要なＡＣＫの応答信号のみがある状態の伝送フレームを伝送することになる。
【０００９】
したがって、従来の照明制御システムは、このように２つの伝送フレームを伝送しなくてはならず、また、その都度同じフォーマットの伝送フレームで、ＡＣＫの応答信号を送信側に返しているので、システムの規模が大きくなればなるほど、システムの応答が遅くなってしまうといった問題点があった。
【００１０】
そこで、本実施形態は前記問題点に鑑みてなされたもので、システムの応答性を向上できる照明制御システムを提供することを目的とする。
【課題を解決するための手段】
【００１１】
実施形態の照明制御システムは、伝送ラインに接続され、この伝送ラインを介して伝送された制御データに基づき照明器具を制御する複数の端末器と、中央制御装置とを具備する。中央制御装置は、前記複数の端末器と前記伝送ラインを介して通信を行うことにより前記複数の端末器を制御するものであって、少なくとも端末器のアドレス及び前記制御データを有する制御データ部を含む制御送信部と、この制御送信部に続く監視応答用の監視応答部とを有する伝送フレームを、前記伝送ラインを介して前記複数の端末器に伝送する。前記複数の端末器の内、前記伝送フレームのアドレスに該当する端末器は、前記伝送フレーム中の前記監視応答部に前記照明器具の制御状態を示す応答信号を付加して前記中央処理装置に伝送する。
【発明の効果】
【００１２】
実施形態に係る照明システムによれば、システムの応答性を向上できる。
【図面の簡単な説明】
【００１３】
【図１】実施形態に係る照明制御システムの全体構成を示す構成図。
【図２】図１の中央制御装置と制御端末器の具体的な回路構成を示すブロック図。
【図３】中央制御装置から伝送される伝送フレームの構成を示す図。
【図４】中央制御装置から伝送される監視用フレームの構成を示す図。
【図５】図２の中央制御装置のＣＰＵにおける制御例を示すフローチャート。
【図６】図２の制御端末器のＣＰＵにおける制御例を示すフローチャート。
【発明を実施するための最良の形態】
【００１４】
実施形態の照明制御システムは、伝送ラインに接続され、この伝送ラインを介して伝送された制御データに基づき照明器具を制御する複数の端末器と、前記複数の端末器と前記伝送ラインを介して通信を行うことにより前記複数の端末器を制御するものであって、少なくとも端末器のアドレス及び前記制御データを有する制御データ部を含む制御送信部と、この制御送信部に続く監視応答用の監視応答部とを有する伝送フレームを、前記伝送ラインを介して前記複数の端末器に伝送する中央制御装置と、を具備し、前記複数の端末器の内、前記伝送フレームのアドレスに該当する端末器は、前記伝送フレーム中の前記監視応答部に前記照明器具の制御状態を示す応答信号を付加して前記中央処理装置に伝送するように制御することを特徴とする。
【００１５】
本発明及び以下の請求項の各発明に係わる実施形態において、特に限定しない限り、用語の定義及び技術的意味は次による。
【００１６】
照明器具は、例えば、ＬＥＤを光源として用いた照明器具であるが、これに限定されるものではない。但し、光源の応答速度を考慮すると、光源が通常のランプよりもＬＥＤを光源として用いた照明器具であれば、数多くの照明器具を設置した場合でも、迅速に調光制御することができるので有効である。
【００１７】
端末器は、例えば、複数の照明器具を制御する制御端末器であるが、これに限定されるものではなく、その他、センサ端末器等も含む。この制御端末器は、例えば４回路の照明器具が接続可能で構成されるが、これに限定されるものではなく、例えば８回路の照明器具が接続可能に構成されていてもよい。
【００１８】
伝送フレームは、少なくとも端末器のアドレス及び前記制御データを有する制御データ部を含む制御送信部と、この制御送信部に続く監視応答用の監視応答部とを有している。この伝送フレームは、制御送信部と監視応答部とを予め設定された所定の期間（例えば２０ｍｓｅｃ）毎に伝送するためにフォーマットされたフレームであるが、これに限定されるものではない。
【００１９】
なお、制御送信部は、例えば、スタートデータ、４ｂｉｔのモードデータ、１２ｂｉｔのアドレスデータ、４ｂｉｔのセレクトデータ、８ｂｉｔの制御データ、４ｂｉｔのセレクトデータを順番に並べてフォーマットして構成されるが、これに限定されるものではない。また、監視応答部は、少なくとも所定期間を設けて、８ｂｉｔの応答信号である監視用応答データを有しているが、これに限定されるものではない。
【００２０】
また、端末器は、制御データ等を有線で伝送する有線伝送式のコントローラで構成するが、例えば、制御信号を無線で伝送する無線伝送式のコントーラで構成してもよい。
【００２１】
請求項２の発明に係る照明制御システムは、請求項１に記載の照明制御システムにおいて、前記伝送フレームの前記制御送信部と前記監視応答部との間には、予め設定された所定期間が設けられていることを特徴とする。
【００２２】
伝送フレームに設けられた所定期間は、例えば、端末器に照明器具を順次オン／オフするリレーが設けられた場合に、このリレーが動作する動作期間である。端末器にリレーがない構成である場合には、所定期間を設けなくてもよい。
【００２３】
この構成により、照明器具が数多く設置された場合でも、リレーの動作期間経過後に、応答信号を即座に中央処理装置へと伝送できるので、システムの応答性を向上できる。
【００２４】
請求項３の発明に係る照明制御システムは、請求項１又は請求項２に記載の照明制御システムにおいて、前記端末器は、前記照明器具に対する前記制御データに基づく制御出力が未確定の場合には、未確定を示すデータを前記監視応答部の中に付加して伝送することを特徴とする。
【００２５】
未確定とは、照明器具に対する制御データに基づく制御出力が完全になされてない状態、すなわち、照明器具が制御データに基づき正常に調光されてない状態である。
【００２６】
このような照明器具が制御データに基づき正常に調光されてない状態を示すデータを、前記監視応答部の中に付加して中央制御装置に伝送することにより、中央制御装置は、照明器具が正常な調光状態でないことを認識することができる。
【００２７】
請求項４の発明に係る照明制御システムは、請求項３に記載の照明制御システムにおいて、前記中央処理装置は、前記端末器から伝送された前記伝送フレームの前記監視応答部の中に前記未確定を示すデータを受信した場合には、前記伝送フレームと同様の未使用の監視用フレームを生成し、この監視用フレームの監視応答部に再度応答信号を付加して該当する端末器に伝送することを特徴とする。
【００２８】
伝送フレームと同様の未使用の監視用フレームとは、制御送信部には制御データ等のデータがなく、監視応答部にのみに応答信号を付加して、該当する端末器に再度伝送するための伝送フレームである。
【００２９】
この構成により、再度、中央制御装置によって、該当する端末器に接続される照明器具の状態を監視することができる。
【００３０】
（実施の形態）
図１は、本実施形態に係る照明制御システムの全体構成を示す構成図である。  
図１に示す照明制御システム１は、例えば、オフィスビルや各種施設などの各フロアや各エリアなどの照明エリア毎に設置される照明器具を遠隔制御する中央処理装置２を有している。
【００３１】
この中央処理装置２には、２線伝送線（以下、伝送ラインと称す）３を介して壁スイッチ４、後述する複数の制御端末器Ｓ１、Ｓ２、Ｓ３、…Ｓｎ（ｎは整数）、センサ端末器５、ワイヤレス受信器６、７、人感センサ８が接続される。また、ワイヤレス受信器６に対して赤外線で信号を送信するワイヤレス送信器９と、ワイヤレス受信器７に対して赤外線で信号を送受するワイヤレス送受信器１０とが設けられている。
【００３２】
壁スイッチ４、複数の制御端末器Ｓ、センサ端末器５、ワイヤレス受信器６、７、人感センサ８、ワイヤレス送信器９、及びワイヤレス送受信器１０は、伝送ライン３に接続される照明用機器を構成し、これら複数の照明用機器は、伝送ライン３を介して中央処理装置２によって制御される。すなわち、中央処理装置２は、本システムを統括的に制御する。  
そして、前記制御端末器Ｓは、伝送ライン３を介して中央処理装置２に接続されて、対応する照明器具を制御することができる。
【００３３】
なお、伝送ライン３に接続される制御端末器Ｓに接続される照明器具には、リレー回路（以下、リレーという）によりオン・オフされる照明器具が含まれる。
【００３４】
壁スイッチ４は、各照明器具又は複数の照明器具の集合であるグループに対応したオン、オフスイッチを有しており、ユーザのスイッチ操作に基づいて、対応する照明器具又は複数の照明器具からなるグループをオンにするかオフにするかのオンオフ制御信号を中央処理装置２に出力する。
【００３５】
複数の制御端末器Ｓ１、Ｓ２、Ｓ３、…Ｓｎは、例えば４回路の照明器具がそれぞれ接続可能であり、このような複数の制御端末器Ｓ１、Ｓ２、Ｓ３、…Ｓｎが伝送ライン３に接続されている。尚、照明器具としては、例えば、ランプや発光ダイオード（ＬＥＤ）などの光源を用いた照明器具が用いられている。
【００３６】
また、リレーが設けられた構成では、このリレーは、接続された複数の照明器具に対して点灯及び消灯制御を行うものであり、中央処理装置２から照明制御信号を受信することによって対応する照明器具の点灯及び消灯を行うものである。
【００３７】
センサ端末器５は、例えば、机上面の照度を一定制御するために照明器具を調光制御するための端末器である。このセンサ端末器５は、伝送インタフェ−スを介して伝送ライン３に接続される。また、センサ端末器５は、光を検出するセンサ部、表示部、センサ端末器５のアドレスデ−タを記憶するメモリを有している。
【００３８】
ワイヤレス送信器９は、照明器具の点灯／消灯情報を例えば、赤外線でワイヤレス受信器６に送信する。このワイヤレス送信器９は、伝送ライン３に接続可能とする伝送インタフェ−ス、照明制御情報を赤外線で送信する赤外線送信部、ワイヤレス送信器９のアドレスデ−タを記憶するメモリ等を有して構成されている。
【００３９】
ワイヤレス送受信器１０は、照明器具の点灯、消灯情報等をワイヤレス受信器７との間で赤外線により送受信するための端末器である。このワイヤレス送受信器１０は、赤外線を送信する赤外線送信部、赤外線を受信する赤外線受信部、照明器具を点灯、消灯制御するための操作ボタン、ワイヤレス送信器１０のアドレスデ−タを記憶するメモリを有して構成されている。
【００４０】
人感センサ８は、人の存在を検知して照明器具を点灯制御するための端末器である。この人感センサ８は、伝送インタフェ−スを介して伝送ライン３に接続される。さらに、この人感センサ８は、人の存在を人から放射される赤外線を検知する赤外線検出部、人感センサ８のアドレスデ−タを記憶するメモリを有して構成されている。
【００４１】
ワイヤレス受信器６は、ワイヤレス送信器９から送信される赤外線信号を受信する。このワイヤレス受信器６は、伝送インタフェ−スを介して伝送ライン３に接続される。また、このワイヤレス受信器６には、ワイヤレス受信器６のアドレスデ−タを記憶するアドレス設定部、赤外線を受信する赤外線受信ユニットが設けられている。尚、ワイヤレス受信器６は、赤外線を送信可能とするための赤外線送信ユニットを有している。
【００４２】
ワイヤレス受信器７は、ワイヤレス送信器１０から送信される赤外線信号を受信する。このワイヤレス受信器７は、伝送インタフェ−スを介して伝送ライン３に接続される。また、このワイヤレス受信器７には、ワイヤレス受信器７のアドレスデ−タを記憶するアドレス設定部、赤外線を受信する赤外線受信ユニットが設けられている。尚、ワイヤレス受信器７は、赤外線を送信可能とするための赤外線送信ユニットを有している。
【００４３】
このような照明制御システム１では、中央処理装置２と複数の照明用機器とが伝送ライン３を介して通信することにより、中央処理装置２は、照明器具を統合的に管理して、複数の制御端末器Ｓ１、Ｓ２、Ｓ３、…Ｓｎに接続された照明器具の点灯及び消灯制御、調光制御が可能である。
【００４４】
次に、本実施形態の照明制御システム１の中央処理装置２と制御端末器Ｓとの具体的な回路構成について図２を用いて説明する。図２は、図１の中央制御装置と制御端末器の具体的な回路構成を示すブロック図である。
【００４５】
図２に示すように、本実施の形態の中央処理装置２は、接続部２ａを介して、内部のバス１１に接続される。中央処理装置２は、接続部２ａに接続されたインターフェース部（以下、Ｉ／Ｆと略す）１２、ＲＯＭ１３、ＲＡＭ１４、ＣＰＵ１５、及び操作部１６とを有し、それぞれがバス１１を介して接続されて構成される。
【００４６】
接続部２ａは、例えば、図１に示す伝送ライン３が接続される接続ケーブルコネクタである。この接続部２ａを介して供給された信号は、Ｉ／Ｆ１２に供給される。このＩ／Ｆ１２は、供給された信号をバス１１を介してＣＰＵ１５に出力する。  
また、このＩ／Ｆ１２は、ＣＰＵ１５からの制御信号を、接続部２ａと伝送ライン３を介して、複数の制御端末器Ｓ１、Ｓ２、Ｓ３、…Ｓｎ等の照明用機器に出力する。
【００４７】
ＲＯＭ１３は、制御手段であるＣＰＵ１５が制御端末器Ｓ及び壁スイッチ４の操作に基づき照明器具を調光制御するのに必要なプログラムや、制御端末器Ｓ等の照明用機器との通信を行って照明器具に制御信号を出力したり動作状態を監視したりするのに必要なプログラム等を格納している。ＣＰＵ１５は、ＲＯＭ１３に格納された所定のプログラムを実行することで、照明制御システム１全体の調光制御を行ったり、後述するが制御信号を所定の伝送フレームで制御端末器Ｓ等の照明用機器に伝送して照明器具を調光制御したり監視制御する。
【００４８】
ＲＡＭ１４は、ＣＰＵ１５により実行されるプログラム、生成された伝送フレーム、壁スイッチ４と制御端末器Ｓに接続されている照明器具との対応関係（割り付け）情報、等を一時的に記憶する作業用の記憶領域を構成する。
【００４９】
操作部１６は、壁スイッチ４、制御端末器Ｓ、センサ端末器５等のアドレス設定、ＲＡＭ１４内に格納するデータの設定、あるいは制御端末器Ｓを介して照明器具の点灯及び消灯制御、調光制御等を行うための操作指示を入力するための操作手段である。
【００５０】
次に、照明用機器である制御端末器Ｓの具体的な回路構成について説明する。  
図２に示すように、本実施の形態の制御端末器Ｓは、お互いにバス２１を介して接続される、２つのＩ／Ｆ２２、２６、ＲＯＭ２３、ＲＡＭ２４、及びＣＰＵ２５を有して構成される。Ｉ／Ｆ２２は、接続部Ｓａを介して伝送ライン３に接続される。各照明負荷は、接続部２７を介してＩ／Ｆ２６に接続される。
【００５１】
接続部Ｓａは、例えば、図２に示す伝送ライン３が接続される接続ケーブルコネクタである。この接続部Ｓａを介して供給された信号は、Ｉ／Ｆ２２に供給される。このＩ／Ｆ２２は、供給された信号をバス２１を介してＣＰＵ２５に出力する。  
また、この１／Ｆ２２は、ＣＰＵ２５からの制御信号を、接続部Ｓａと伝送ライン３を介して、中央処理装置２に出力する。
【００５２】
ＲＯＭ２３は、制御手段であるＣＰＵ２５が伝送された制御信号に基づき照明器具を調光制御するのに必要なプログラムや、中央処理装置２との通信を行って監視応答信号を出力したりするのに必要なプログラム等を格納している。ＣＰＵ２５は、ＲＯＭ１０に格納された所定のプログラムを実行することで、接続される照明器具の調光制御を行ったり、後述するが接続される照明器具の動作状態を示す監視応答信号を所定の伝送フレームで中央処理装置２に伝送したり制御する。
【００５３】
ＲＡＭ２４は、ＣＰＵ２５により実行されるプログラム、伝送フレームに付加する監視応答信号の情報、等を一時的に記憶する作業用の記憶領域を構成する。
【００５４】
Ｉ／Ｆ２６は、ＣＰＵ２５からの制御データを、接続部２７を介して接続されている照明器具に出力する。なお、接続部２７は、例えば、４回路の照明器具に接続される伝送線の接続が可能であり、また、リレーが設けられた構成では、各照明器具に接続されるリレーの接続が可能である。
【００５５】
本実施形態の照明制御システム１において、中央処理装置２のＣＰＵ１５は、複数の制御端末器Ｓと伝送ライン３を介して通信を行うことにより複数の制御端末器Ｓを制御するものであって、少なくとも制御端末器Ｓのアドレス及び制御データを有する制御データ部を含む制御送信部と、この制御送信部に続く監視応答用の監視応答部とを有する伝送フレームを、伝送ライン３を介して複数の制御端末器Ｓに伝送する。
【００５６】
そして、複数の制御端末器Ｓ１、Ｓ２、Ｓ３、…Ｓｎの内、アドレスで指定された制御端末器ＳのＣＰＵ２５は、伝送フレームの監視応答部の中に照明器具の制御状態を示す応答信号を付加して中央処理装置２に伝送するように制御する。
【００５７】
このような伝送フレームの構成を図３に示す。図３は、中央制御装置から伝送される伝送フレームの構成を示す図である。
【００５８】
図３に示す伝送フレーム３０は、中央処理装置２から制御端末器Ｓに向けて伝送されるものである。具体的には、この伝送フレーム３０は、制御端末器Ｓのアドレス及び制御データを有する制御データ部を含む制御送信部３１と、この制御送信部３１に続く監視応答用の監視応答部３３とを有して構成される。
【００５９】
この伝送フレーム３０は、制御送信部３１から監視応答部３３までのデータを予め設定された所定の期間ｔ０（例えば２０ｍｓｅｃ）で伝送するようにフォーマットされている。
【００６０】
なお、必要に応じて、制御送信部３１と監視応答部３３との間には、データが付加されない予め設定された期間ｔ２の所定期間部３２が設けられている。この所定期間部３２は、例えば、制御端末器Ｓに照明器具を順次オン、オフするリレーが設けられた場合に、このリレーが動作する動作期間である。なお、全ての制御端末器Ｓにリレーが含まれていない構成である場合には、所定期間部３２を設けなくてもよい。
【００６１】
制御送信部３１は、例えば、スタートデータ３０ａ、４ｂｉｔのモードデータ３０ｂ、１２ｂｉｔのアドレスデータ３０ｃ、４ｂｉｔのセレクトデータ３０ｄ、８ｂｉｔの制御データ３０ｅ、４ｂｉｔのチェックサムデータ３０ｆを順番に並べてフォーマットして構成される。また、監視応答部３３は、８ｂｉｔの応答信号である監視用応答データ（ＡＣＫともいう）３０ｇを有している。
【００６２】
モードデータ３０ｂは、信号の種類を示し、例えば、制御モード、又は監視モードを示すモードデータである。
【００６３】
アドレスデータ３０ｃは、例えば、複数の制御端末器Ｓ１、Ｓ２、Ｓ３、…Ｓｎの内、制御する制御端末器Ｓに割り付けられたアドレスデータである。
【００６４】
セレクトデータ３０ｄは、該当する制御端末器Ｓの照明器具の内、制御する照明器具をセレクトするためのセレクトデータ等である。
【００６５】
制御データ３０ｅは、制御モードの場合、アドレスに対応する制御端末器Ｓに伝送する制御データであって、該制御端末器Ｓに接続される照明器具を制御するための制御データである。
【００６６】
チェックサムデータ３０ｆは、送信データが正しく送られたか否かをチェックするためのデータである。
【００６７】
そして、監視用応答データ（ＡＣＫ）３０ｇは、該当する制御端末器Ｓから中央処理装置に伝送する、各照明器具の動作状態を示す監視用応答データである。
【００６８】
なお、図３に示す構成では、伝送フレーム３０全体の伝送期間は、所定の期間ｔ０であって、この所定期間ｔ０は、制御送信部３１を伝送する期間ｔ１と、所定期間ｔ２と、監視応答部３３が伝送される期間ｔ３とを合わせた期間となっている。
【００６９】
図４に、中央処理装置から複数の制御端末器に伝送される監視用伝送フレームの構成を示す。  
図４に示す監視用伝送フレーム３０Ａは、後述するが、制御する制御端末器Ｓから伝送される監視応答部３３の中に未確定を示すデータを受信した場合に、再度、該当する制御端末器Ｓに伝送するための伝送フレームである。
【００７０】
この監視用伝送フレーム３０Ａは、図３に示す伝送フレーム３０と同様に構成されているが、制御送信部３１Ａには、スタートデータ３０ａ、モードデータ３０ｂ、アドレスデータ３０ｃ、セレクトデータ３０ｄ、及び制御データ３０ｅの各データが存在しない未使用の状態となっている。そして、監視応答部３３Ａには、再度該当する制御端末器に伝送する監視用応答信号３０ｇが付加されている。
【００７１】
本実施形態の照明制御システム１は、図３又は図４に示す伝送フレームを用いて中央処理装置２と複数の制御端末器Ｓとの間で、制御モード、又監視モード実行に伴う制御データや監視応答信号の送受を行っている。
【００７２】
次に、本実施の形態の照明制御システムの作用について図５及び図６を用いて説明する。図５は、図２の中央制御装置のＣＰＵにおける制御例を示すフローチャート、図６は、図２の制御端末器のＣＰＵにおける制御例を示すフローチャートである。
【００７３】
まず、中央処理装置２のＣＰＵ１５の制御例について図５用いて説明する。  
本実施形態の照明制御システム１の電源を投入したとする。すると、中央処理装置２のＣＰＵ１５は、ＲＯＭ１３から、図５に示すプログラムを読み出して実行する。  
ＣＰＵ１５は、ステップＳ１の処理により、タイマーをオンし、続くステップＳ２の処理で、図３に示す伝送フレーム３０を用いて各種データを順次送信するように送信を開始する。
【００７４】
その後、ＣＰＵ１５は、続くステップＳ３の判断処理により、タイマーのカウント結果から、図３に示す監視用応答部３３の監視用応答信号（ＡＣＫ）の応答タイミングか否かを判断する。監視用応答信号（ＡＣＫ）の応答タイミングでない場合には、応答タイミングがくるまで、このステップＳ３の判断処理を行い、監視用応答信号（ＡＣＫ）の応答タイミングである場合には、処理をステップＳ４に移行する。
【００７５】
ステップＳ４の処理では、ＣＰＵ１５は、監視用応答部３３の監視用応答信号（ＡＣＫ）を取得し、処理をステップＳ５の判断処理に移行する。
【００７６】
ステップＳ５の判断処理では、ＣＰＵ１５は、取得した監視用応答信号を基に、対応する照明器具の動作状態を判断する。すなわち、ＣＰＵ１５は、監視用応答信号から、対応する照明器具が制御データに基づき正常に動作したか否か、つまり制御データに基づき制御が実行されたか否かを判断し、実行されていない、すなわち、実行結果が未確定と判断した場合には、再度、対応する制御端末Ｓに接続された照明器具の監視を行うために、ステップＳ７の処理で、図４に示す監視用データフレーム３１Ａを生成し、処理をステップＳ１に戻し、ステップＳ２の処理で、この生成した監視用データフレーム３１Ａを送信させる。
【００７７】
一方、未確定でないと判断した場合、即ち、制御が実行された場合、ＣＰＵ１５は、続くステップＳ６の判断処理で、対応する制御端末器Ｓ及びこれに接続された照明器具が異常であるか否かを判断し、異常でないものと判断した場合には、このプログラムを完了し、異常であるものと判断した場合には、ステップＳ８の処理で、例えば図示しない表示部に、異常のある制御端末器Ｓ及びこれに接続される照明器具を表示したり、あるいは音声にて告知するような異常処理を行い、このプログラムを完了する。
【００７８】
次に、制御端末器ＳのＣＰＵ２５の制御例について図６用いて説明する。  
本実施形態の照明制御システム１の電源を投入したとする。すると、制御端末器ＳのＣＰＵ２５は、ＲＯＭ２３から、図６に示すプログラムを読み出して実行する。  
ＣＰＵ２５は、ステップＳ１０の判断処理により、中央処理装置２から送信された、図３に示す伝送フレーム３０を受信したか否かを判断する。この場合、伝送フレーム３０を受信した場合には、ＣＰＵ２５は、続くステップＳ１１の処理により、タイマーをオンし、次のステップＳ１２の処理で、受信した図３に示す伝送フレーム３０のモードデータ３０ｂ制御モードか監視モードであるかのモード確認を行い、処理ステップＳ１３の判断処理に移行する。
【００７９】
ステップＳ１３の判断処理では、ＣＰＵ２５は、図３に示す伝送フレーム３０のアドレスデータ３０ｃと、自己のアドレスとが一致するか否かを判断する。アドレスが一致してない場合には、このプログラムを完了し、アドレスが一致をした場合には、処理をステップＳ１４に移行する。
【００８０】
ステップＳ１４の処理では、ＣＰＵ２５は、図３に示す伝送フレーム３０の制御データ３０ｅを取得する。その後、ＣＰＵ２５は、続くステップＳ１５の処理で、接続された照明器具に、取得した制御データを出力して点灯、消灯又は調光制御する。
【００８１】
そして、ＣＰＵ２５は、続くステップＳ１６の処理で、対応する照明器具の動作状態を読み込み、続くステップＳ１７の判断処理で、対応する照明器具に対して、制御データが全て出力されたか否かを判断する。
【００８２】
この場合、制御データ出力が完了していないと判断した場合、すなわち未確定の場合には、ＣＰＵ２５は、処理をステップＳ１９に移行し、制御データ出力が完了したものと判断した場合、すなわち、制御が実行された場合には、続くステップＳ１８の処理で、エラービットを“１”とするフラグをたてた後、処理をステップＳ１９に移行する。
【００８３】
その後、ＣＰＵ１５は、ステップＳ１９の判断処理により、タイマーのカウント結果から、図３に示す監視用応答部３３の監視用応答信号（ＡＣＫ）の応答タイミングか否かを判断する。監視用応答信号（ＡＣＫ）の応答タイミングでない場合には、処理をステップＳ１６に戻して再度状態読み込みの処理を行い、一方、監視用応答信号（ＡＣＫ）の応答タイミングである場合には、処理をステップＳ２０に移行する。
【００８４】
そして、ステップＳ２０の処理では、ＣＰＵ１５は、図３に示す伝送フレーム３０の監視用応答部３３に、対応する照明器具の動作状態を示す監視用応答信号（ＡＣＫ）を付加して、中央処理装置２に送信するように制御した後、このプログラムを完了する。
【００８５】
なお、伝送フレーム３０を送信する端末器として制御端末器Ｓについて説明したが、これに限定されるものではなく、制御端末器の他に、壁スイッチ４、センタ端末器５等の端末器に伝送フレーム３０を伝送しても良い。
【００８６】
このように、中央処理装置２と制御端末器Ｓとが制御することによって、１つの伝送フレーム３０を用いて必要な制御データや監視用応答信号を伝送できるので、システムの伝送データを簡素化できる。
【００８７】
また、中央処理装置２から伝送された伝送フレーム３０の監視用応答部３３の期間ｔ３中に、対応する制御端末器Ｓから照明器具の監視用応答信号（ＡＣＫ）３０ｇが中央処理装置２に返すように送信されるので、制御端末器Ｓの応答速度を従来よりも早くすることができ、また、制御端末器Ｓの応答速度を早くすることで、次の制御端末器Ｓへの制御を迅速に行える。
【００８８】
さらに、制御端末器Ｓが、実行結果が未確定と判断した場合にのみ、中央処理装置２は監視用データフレーム３１Ａを送信するため、監視モードとしての信号送信を最小限にすることができる。
【００８９】
したがって、本実施形態によれば、システムの応答性を向上できる照明制御システム１の実現が可能である。
【００９０】
なお、本実施形態において、制御端末器Ｓは、例えば４回路の照明器具が接続可能に構成されるが、これに限定されるものではなく、例えば、８回路の照明器具が接続可能に構成されていてもよい。この場合、制御端末器Ｓは、図３に示す伝送フレーム４０の監視用応答部３３の中に、８回路の照明器具に対応する監視用応答データ（ＡＣＫ）３３ｇを付加して中央処理装置２へと伝送するようになっている。
【００９１】
本発明は、上述した実施の形態及び変形例に限定されるものではなく、本発明の要旨を変えない範囲において、種々の変更、改変等が可能である。
【符号の説明】
【００９２】
１…照明制御システム、
２…中央処理装置、
２ａ…接続部、
３…伝送ライン、
４…壁スイッチ、
５…センサ端末器、
６、７…ワイヤレス受信器、
８…人感センサ、
９、１０…ワイヤレス送信器、
１５…ＣＰＵ、
２５…ＣＰＵ、
３０…伝送フレーム、
３１…制御送信部、
３２… 所定期間部、
３２…監視応答部、
Ｓ…制御端末器。
【図１】
2012009265.tif 000003
【図２】
2012009265.tif 000004
【図３】
2012009265.tif 000005
【図４】
2012009265.tif 000006
【図５】
2012009265.tif 000007
【図６】
2012009265.tif 000008